(57)【要約】【課題】  著作権保護されたデジタルコンテンツを外部機器へ移動した場合でも、レジューム機能など付随情報に基づく機能を移動先の外部機器で利用できるようにする。【解決手段】本発明に係る録画再生装置は、映像コンテンツデータを記録媒体に記録する第１記録部と、各映像コンテンツデータの再生に関する情報を含む付随情報を、コンテンツデータとは別ファイルとして前記記録媒体に記録する第２記録部と、コンテンツデータ移動指示に応じて、前記記録媒体に記録された映像コンテンツデータを、ネットワークインターフェースを用いてネットワーク上の外部装置に送信すると共に、該映像コンテンツデータを前記記録媒体から削除する第１送信部と、前記コンテンツデータ移動指示に応じて、前記コンテンツデータ移動部が送信する映像コンテンツデータに係る付随情報を、前記ネットワークインターフェースを用いて前記外部装置に送信し、該付随情報を前記記録媒体から削除する第２送信部とを具備する。【選択図】    図１
2007306394.tif 000002
【特許請求の範囲】
【請求項１】
映像コンテンツデータを記録媒体に記録するコンテンツデータ記録部と、
各映像コンテンツデータの再生に関する情報を含む付随情報を、コンテンツデータとは別ファイルとして前記記録媒体に記録する付随情報記録部と、
通信ネットワークを介して外部装置とデータ通信を行うためのネットワークインターフェースと、
コンテンツデータ移動指示に応じて、前記記録媒体に記録された映像コンテンツデータを、前記ネットワークインターフェースを用いて前記外部装置に送信すると共に、該映像コンテンツデータを前記記録媒体から削除するコンテンツデータ移動部と、
前記コンテンツデータ移動指示に応じて、前記コンテンツデータ移動部が送信する映像コンテンツデータに係る付随情報を、前記ネットワークインターフェースを用いて前記外部装置に送信し、該付随情報を前記記録媒体から削除する付随情報移動部と、  
を具備することを特徴とする録画再生装置。
【請求項２】
前記付随情報は、映像コンテンツデータの再生停止位置を示すレジューム情報を含むことを特徴とする請求項１記載の録画再生装置。
【請求項３】
前記付随情報は、１つの映像コンテンツデータに対する複数ユーザの再生停止指示に応じて作成された複数のレジューム情報を含むことを特徴とする請求項２記載の録画再生装置。
【請求項４】
前記付随情報移動部は、１つの映像コンテンツデータに対して複数作成されたレジューム情報のうち、コンテンツデータの移動先の前記外部装置に対応するレジューム情報のみを前記外部装置に送信することを特徴とする請求項３記載の録画再生装置。
【請求項５】
映像コンテンツデータをファイルとして記録媒体に記録するステップと、
各映像コンテンツデータの再生に関する情報を含む付随情報を、映像コンテンツデータとは別ファイルとして前記記録媒体に記録するステップと、
コンテンツデータ移動指示に応じて、前記記録媒体に記録された映像コンテンツデータを、ネットワークインターフェースを用いてネットワーク上の外部装置に送信すると共に、該映像コンテンツデータを前記記録媒体から削除するステップと、
前記コンテンツデータ移動指示に応じて、前記外部装置へ送信する映像コンテンツデータの付随情報を、前記ネットワークインターフェースを用いて前記外部装置に送信し、該付随情報を前記記録媒体から削除するステップと、  
を具備することを特徴とする映像コンテンツデータ移動プログラム。
【請求項６】
前記付随情報は、映像コンテンツデータの再生停止位置を示すレジューム情報を含むことを特徴とする請求項５記載の映像コンテンツデータ移動プログラム。
【請求項７】
前記付随情報は、１つの映像コンテンツデータに対する複数ユーザの再生停止指示に応じて作成された複数のレジューム情報を含むことを特徴とする請求項６記載の映像コンテンツデータ移動プログラム。
【請求項８】
複数の録画再生装置が通信ネットワークに接続されたシステムにおける映像コンテンツデータの移動方法であって、
映像コンテンツデータを記録媒体に記録し、該映像コンテンツデータの再生に関する情報を含む付随情報を別ファイルとして前記記録媒体に記録するステップと、
コンテンツデータ移動指示に応じて、前記記録媒体に記録された映像コンテンツデータを前記ネットワークに送出し、送出した該映像コンテンツデータを前記記録媒体から削除するステップと、
前記コンテンツデータ移動指示に応じて、送出する映像コンテンツデータに係る付随情報を前記ネットワークに送出し、該付随情報を前記記録媒体から削除するステップと、  
前記映像コンテンツデータ及びその付随情報を前記ネットワークを介して受信して、他の記録媒体に記録するステップと、
を具備することを特徴とする映像コンテンツデータの移動方法。
【請求項９】
前記付随情報は、映像コンテンツデータの再生停止位置を示すレジューム情報を含むことを特徴とする請求項８記載の映像コンテンツデータの移動方法。
【請求項１０】
前記付随情報は、１つの映像コンテンツデータに対する複数ユーザの再生停止指示に応じて作成された複数のレジューム情報を含むことを特徴とする請求項９記載の映像コンテンツデータの移動方法。
【発明の詳細な説明】
【技術分野】
【０００１】
本発明は著作権保護されたデジタル映像コンテンツを、ネットワークを介して外部装置に移動する録画再生装置に関する。
【背景技術】
【０００２】
一般に、情報記録媒体に記録した各種デジタル映像コンテンツに、各再生機およびユーザの再生情報などの情報が付随している場合がある。例えば、付随する再生情報としては、ポーズ(pause)、字幕、言語等の再生位置情報がある。例えばポーズ情報は、コンテンツの再生中に、再生を途中で停止した場合、コンテンツ中のその停止位置を示す情報である。再生の停止後、しばらくしてそのコンテンツの再生を指示すると、ポーズ情報に基づいて、以前再生を停止した位置から再生が再開される。このように、以前再生を停止した位置から再生を再開する機能をレジューム機能という。
【０００３】
このような付随する再生情報に関する技術が下記特許文献１に開示されている。この文献による再生装置は、コンテンツを再生するたびに再生設定条件を入力しないで、ユーザの好みの設定で再生するか、もしくは中断時点からの再生をすることができる。
【発明の開示】
【発明が解決しようとする課題】
【０００４】
近年、ＢＳデジタルあるいは地上デジタル等のデジタル放送で受信した映像コンテンツには、コンテンツのコピーを１世代のみ許可する、いわゆる「コピーワンス」の信号が、すべてのコンテンツについて多重されるようになった。コピーワンス属性の映像コンテンツは別の媒体にダビングできず、元のコンテンツを消去して移動する移動処理（ＭＯＶＥ）しか許されない。
【０００５】
記録再生装置の場合、コンテンツの付随情報は、そのコンテンツを記憶しているＨＤＤ等の記憶媒体内のデータベースで管理されるのが一般的である。また、コンテンツに付随する情報は、コンテンツと同一の領域（ファイル）内に格納されているのではなく、別領域（別ファイル）で格納されていることが多い。このときコンテンツを格納している記録再生装置内でのコンテンツ移動の限りでは、その付随情報は消失することはない。しかし、上記したようなコピーワンスのコンテンツでは、外部機器へコンテンツを移動すると、付随情報に対応するコンテンツがその装置内にはなくなる。またこれと共に、コンテンツの移動先の外部機器は付随情報を有していないので、これを利用した再生制御は困難である。
【０００６】
従って本発明は、著作権保護されたデジタルコンテンツを外部機器へ移動した場合でも、レジューム機能などの付随情報に基づく機能を移動先の外部機器で利用できるようにすることを目的とする。
【課題を解決するための手段】
【０００７】
本発明の一実施形態による録画再生装置は、映像コンテンツデータを記録媒体に記録するコンテンツデータ記録部と、各映像コンテンツデータの再生に関する情報を含む付随情報を、コンテンツデータとは別ファイルとして前記記録媒体に記録する付随情報記録部と、通信ネットワークを介して外部装置とデータ通信を行うためのネットワークインターフェースと、コンテンツデータ移動指示に応じて、前記記録媒体に記録された映像コンテンツデータを、前記ネットワークインターフェースを用いて前記外部装置に送信すると共に、該映像コンテンツデータを前記記録媒体から削除するコンテンツデータ移動部と、前記コンテンツデータ移動指示に応じて、前記コンテンツデータ移動部が送信する映像コンテンツデータに係る付随情報を、前記ネットワークインターフェースを用いて前記外部装置に送信し、該付随情報を前記記録媒体から削除する付随情報移動部とを具備する。
【発明の効果】
【０００８】
本発明によれば、著作権保護されたデジタルコンテンツを外部機器へ移動した場合でも、レジューム機能など付随情報に基づく機能を移動先の外部機器で利用できる。
【発明を実施するための最良の形態】
【０００９】
以下、図面を参照しながら本発明の実施の形態について詳細に説明する。
【００１０】
図１は本発明が適用されるシステムの構成を示す図である。サーバとしての録画再生装置１０１ａ、１０１ｂ及び表示機器としての再生装置１０６がハブ１０５を介してEthernet（登録商標）ケーブル１０４によりネットワーク接続されている。
【００１１】
このネットワークは、例えばＩＰ(Internet Protocol)等のプロトコルに従って通信を行う家庭内ＬＡＮである。また、録画再生装置１０１ａ、１０１ｂ、及び再生装置１０６の各機器は、ＵＰｎＰ(Universal Plug and Play)により通信を行い、ＤＴＣＰ−ＩＰ(digital transmission content protection over internet protocol)などの著作権保護技術を用いてコンテンツの送受信を行うものとする。
【００１２】
図２は録画再生装置１０１ａ、１０１ｂの概略構成を録画再生装置１０１として示すブロック図である。録画再生装置１０１は、例えばＰＣあるいはＤＶＤレコーダとして実施できる。
【００１３】
映像記録装置１０１は、入力映像信号を記録媒体に記録する記録再生部１４、記録再生部１４による記録再生及び以下に説明する各部の動作を制御するマイクロコンピュータ（ＭＰＵすなわち主制御装置）１５、ＴＶチューナ１２、エンコード部１３、デコード部１６、及びユーザ操作入力部１９を含む。
【００１４】
ＴＶチューナ１２はデジタル放送を受信可能なチューナであって、デジタル放送を受信している場合は、ＴＳ(transport stream)をデータプロセッサ１４ｂに出力し、アナログ放送の場合はアナログ信号をエンコード部１３に出力する。エンコード部１３はＴＶチューナ１２又はＡＶ入力端子１１からのアナログ信号をＡ／Ｄ変換及びエンコード（圧縮）して、データプロセッサ１４ｂに出力する。
【００１５】
記録再生部１４は、例えばＤＶＤ規格に準拠して製造されたディスクＤに、情報の記録及び再生が可能なディスクドライブユニット１４ａ、大容量データを記録可能なＨＤＤ１４ｃ、及びデータプロセッサ１４ｂを含む。
【００１６】
データプロセッサ１４ｂは、ＭＰＵ１５の制御に従って、エンコード部１３又はチューナ１２からの記録データをＨＤＤ１４ａに供給したり、ＨＤＤ１４ａからの再生信号をデコード部１６に供給する。
【００１７】
又、データプロセッサ１４ｂは、ＭＰＵ１５の制御に従って、エンコード部１３から出力された記録データをディスクドライブ１４ａに供給したり、ディスクＤの再生信号をディスクドライブ１４ａから取り込み、デコード部１６に供給する。更にデータプロセッサ１４ｂは、ＭＰＵ１５の制御に従って、ディスクＤあるいはＨＤＤ１４ａに記録された管理情報を書き替えたり、記録されたデータの削除を行う。
【００１８】
デコード部１６は記録再生部１４が出力する映像情報をデコード（伸長）する。デコード部１６は、デコードした再生情報をテレビ等の再生装置に供給するためのＡＶ出力端子１７が接続されている。
【００１９】
ＭＰＵ１５は、ユーザ操作入力部１８を介して入力された指示入力に従って、メモリ１１１に記録されている制御プログラムを実行する。ネットワークインターフェース１９はＭＰＵ１５の制御の下に、ネットワークに接続された外部機器との通信を行う。
【００２０】
次に本発明に係る動作の一実施形態を説明する。
【００２１】
ここでは図１に示すように、録画再生装置１０１ａ内のＨＤＤ１４ｃには複数のコンテンツ（例えば放送番組）１０２ａ、１０２ｂ…が格納され、各コンテンツはコピーネバーのコピー管理情報を持つコンテンツであるとする。つまり各コンテンツは、デジタル放送を受信してＨＤＤ１４ｃに記録された後、他の記録媒体に移動はできるが、コピーは禁止されているコンテンツである。
【００２２】
ＨＤＤ１４ｃには、各コンテンツにリンクして付随情報１０３ａ、１０３ｂ…も同様にファイルとして格納されている。この付随情報はコンテンツの再生に関する情報で、ポーズ情報（停止位置情報）、字幕、言語等を含む。コンテンツの付随情報は、コンテンツと同一の領域（ファイル）内に格納されているのではなく、別領域（別ファイル）で格納されている。またＨＤＤ１４ｃは、録画したコンテンツのリストを示すコンテンツ一覧１０７を含む。これら複数のコンテンツ１０２ａ、１０２ｂ…、付随情報１０３ａ、１０３ｂ…、コンテンツ一覧１０７は、ＭＰＵ１５の制御の下にデータプロセッサ１４ｂがＨＤＤ１４ｃに記録したデータである。
【００２３】
再生装置１０６は、録画再生装置１０１ａ、１０１ｂにアクセスし、コンテンツ一覧１０７を参照して、再生するコンテンツを特定できる。その際、特定したコンテンツに、付随情報としてポーズ情報が記録されている場合は、ポーズ位置からの再生を、録画再生装置に指定できる。
【００２４】
次に、本発明に係るコンテンツの移動について説明する。
【００２５】
コンテンツを移動する場合としては、録画再生装置１０３ａのＨＤＤ１４ｃの残容量が少なくなり、ＨＤＤ１４ｃに録画されているコンテンツを他の録画再生装置１０１ｂへ移動する場合が考えられる。また、ユーザが録画コンテンツを再生してＴＶで視聴している時、ユーザの子供たちが、現在放送されている番組をそのＴＶで見たい場合に、現在視聴しているコンテンツを停止し、該コンテンツを他の部屋に設置されている録画再生装置１０３ｂに移動して、そのコンテンツを視聴する場合などが考えられる。
【００２６】
本実施形態ではこのようなコンテンツ１０２ａの移動時に、該コンテンツの付随情報１０３ａも同様に移動先の録画再生装置１０１ｂへ移動する。コンテンツ１０２ａの移動後、移動先の録画再生装置１０１ｂは、付随情報１０３ａをコンテンツ１０２ａにリンクさせて格納する。一方、移動元の録画再生装置１０１ａでは、コンテンツ１０２ａの移動に伴ってコンテンツ１０２ａを削除すると共に、付随情報１０３ａも合わせて削除する。
【００２７】
コンテンツ１０２ａの移動の方法としては、録画再生装置１０１ａは、コンテンツ１０２ａの録画再生装置１０１ｂへの送信完了を確認した後ＨＤＤ１４ｃからコンテンツ１０２ａ全体を削除する方法や、ＨＤＤ１４ｃに記憶したコンテンツ１０２ａのうち、録画再生装置１０１ｂへ送信したデータから順次削除する方法などが考えられる。
【００２８】
本実施例では、録画再生装置１０１ａは、コンテンツ１０２ａの録画再生装置１０２ｂへの送信完了を確認した後、コンテンツ１０２ａ全体を削除するものとして説明を行う。
【００２９】
コンテンツ１０２ａの移動方法には、図３及び図４のように、コンテンツ移動元の機器１０１ａから機器１０１ｂヘトリガーをかけるＰｕｓｈ型（図３）と、コンテンツ移動先の録画再生装置１０１ｂから機器１０１ａに対してトリガーをかけるＰｕｌ１型（図４）の２パターンが存在する。図３のＰｕｓｈ型では機器１０１ａが機器１０１ｂへとコンテンツ移動要求を送信するのに対して、図４のＰｕ１１型では機器１０１ｂが機器１０１ａヘコンテンツ移動要求を送信する。
【００３０】
先ず、Ｐｕｓｈ型の移動について説明する。録画再生装置１０１ａ（以下装置１０１ａという）では、コンテンツ一覧１０７に基づいてコンテンツを特定し、該コンテンツのＭＯＶＥ要求を装置１０１ｂへ送信する（Ｓ１０１）。ここではコンテンツ１０２ａが特定されたとする。録画再生装置１０１ｂ（以下装置１０１ｂという）はＭＯＶＥ要求を受信すると、受信を確認したことを示すＡＣＫ信号を装置１０１ａに返信する（Ｓ１０２）。
【００３１】
装置１０１ａはＡＣＫ信号を受信すると、コンテンツ１０２ａの符号化データストリームを装置１０１ｂに伝送する（Ｓ１０３）。装置１０１ｂはコンテンツ１０２ａを正常に受信すると、受信を確認したことを示すＡＣＫ信号を装置１０１ａに返信する（Ｓ１０４）。
【００３２】
装置１０１ａはＡＣＫ信号を受信すると、コンテンツ１０２ａの付随情報１０３ａのファイルを装置１０１ｂに送信する（Ｓ１０５）。装置１０１ｂは付随情報１０３ａを正常に受信すると、受信を確認したことを示すＡＣＫ信号を装置１０１ａに返信する（Ｓ１０６）。
【００３３】
装置１０１ａはＡＣＫ信号を受信すると、コンテンツ１０２ａ、コンテンツ１０２ａの付随情報１０３ａを削除し、コンテンツ一覧１０７におけるコンテンツ１０２ａに関する情報（タイトル名、縮小画像等）を削除することにより、ＨＤＤ１４ｃ中のデータベースを更新する（Ｓ１０７）。
【００３４】
次にＰｕｌｌ型の移動について説明する。Ｐｕｌｌ型の移動では、先ず装置１０１ｂはコンテンツ一覧１０７の要求を装置１０１ａに送信する（Ｓ２０１）。装置１０１ａはコンテンツ一覧１０７の要求を受信すると、そのＡＣＫ信号を装置１０１ｂに送信し、続いてコンテンツ一覧１０７を送信する（Ｓ２０２、Ｓ２０３）。
【００３５】
装置１０１ｂでは、受信したコンテンツ一覧１０７に基づいて、コンテンツを特定し、該コンテンツのＭＯＶＥ要求を装置１０１ａに送信する（Ｓ２０４）。ここではコンテンツ１０２ａが特定されたとする。装置１０１ａはＭＯＶＥ要求を受信すると、受信を確認したことを示すＡＣＫ信号を装置１０１ｂに返信し（Ｓ２０５）、続いてコンテンツ１０２ａの符号化データストリームを装置１０１ｂに伝送する（Ｓ２０６）。これ以降の処理は、図３のＰｕｓｈ型移動処理におけるステップ１０４〜ステップ１０７と同様である。
【００３６】
次に付随情報の移動方法に関する他の実施形態を、図５を参照して説明する。
【００３７】
本実施形態では、１コンテンツの付随情報１０３ｃとして、複数の付随情報（レジューム情報等）Ａ、Ｂ、Ｃ…が記録されている。複数の付随情報Ａ、Ｂ、Ｃ…は、複数ユーザ１、２、３…により記録された情報である。
【００３８】
このように１コンテンツに対する複数の付随情報Ａ、Ｂ、Ｃ…を有する付随情報１０３ｃは、例えばリモコンに複数のユーザボタンが設け、各ユーザが自分に割り当てたユーザボタンを押してから録画再生装置を操作し、録画再生装置１０１が各ユーザを識別して付随情報を作成することで実現できる。また付随情報１０３ｃは、例えば携帯電話を使用して、録画再生装置１０１を操作できる場合に、録画再生装置１０１が各携帯電話を識別して付随情報を作成することで実現できる。
【００３９】
このように、コンテンツの付随情報には、録画再生装置１０１を使用する各ユーザの再生情報（ポーズ位置情報）を含めることができる。コンテンツを再生する際は、リモコンなどにより最初にユーザを認識してからコンテンツを特定して再生指示することで、各ユーザに対応する付随情報を用いてコンテンツを前回の停止位置から再生することができる。
【００４０】
また、コンテンツを移動する際の各種設定に応じて、付随情報の移動方法を工夫することが可能である。例えば、図４のようにコンテンツ１０２を移動するユーザ１は、他ユーザに関する付随情報は不要であり、自身の付随情報だけを要求する場合もある。そのような場合には、自身の付随情報のみを移動先の機器１０１ｂへ移動ように、録画生成装置を設定する。
【００４１】
以上説明したように、本発明の実施形態によれば、著作権保護されたデジタルコンテンツを外部機器へ移動した場合でも、ポーズ位置機能など付随情報に基づく機能を移動先の外部機器で利用できる。
【図面の簡単な説明】
【００４２】
【図１】本発明が適用されるシステムの構成を示す図である。
【図２】録画再生装置１０１ａ、１０１ｂの概略構成を録画再生装置１０１として示すブロック図である。
【図３】Ｐｕｓｈ型のコンテンツ移動方法を示す図である。
【図４】Ｐｕ１１型のコンテンツ移動方法を示す図である。
【図５】付随情報の移動方法に関する他の実施形態を示す図である。
【符号の説明】
【００４３】
１２…ＴＶチューナ、１３…エンコード部、１４…記録再生部、１５…マイクロプロセッサユニット、１６…デコード部、１９…ネットワークインターフェース、１０１ａ、１０１ｂ…録画再生装置、１０４…ＬＡＮケーブル、１０５…ハブ。
【図１】
2007306394.tif 000003
【図２】
2007306394.tif 000004
【図３】
2007306394.tif 000005
【図４】
2007306394.tif 000006
【図５】
2007306394.tif 000007